(57)【要約】【課題】番組の録画予約を効果的に行い得るようにする。【解決手段】端末装置からサーバ装置に番組録画予約情報を送信する。これにより、端末装置はサーバ装置に番組録画予約を行ったという事実を伝え、サーバ装置は端末装置で番組録画予約が行われたという事実を把握する。端末装置は、実際、録画予約された番組の録画は行わない。端末装置は、再生（視聴）をする際に、サーバ装置に番組選択情報を送信する。サーバ装置は、番組選択情報が示す番組のコンテンツ情報を端末装置に送信する。端末装置は、サーバ装置からの番組コンテンツ情報を受信する。【選択図】図５
2013207434.tif 000002
【特許請求の範囲】
【請求項１】
番組録画予約情報を受け付ける番組録画予約情報受付部と、
上記受け付けられた番組録画予約情報をサーバ装置に送信する番組録画予約情報送信部とを備える
端末装置。
【請求項２】
上記受け付けられた番組録画予約情報に基づいて作成された番組録画予約リストから選択された番組の情報を含む番組選択情報を上記サーバ装置に送信する番組選択情報送信部と、
上記サーバ装置から送られてくる、上記送信された番組選択情報で示される番組のコンテンツ情報を受信する番組コンテンツ情報受信部とを、さらに備える
請求項１に記載の端末装置。
【請求項３】
上記受け付けられた番組録画予約情報に基づいて上記番組録画予約リストを作成する番組録画予約リスト作成部と、
上記送信された番組録画予約情報に応じて、上記サーバ装置から送られてくる、該番組録画予約情報で示される番組の視聴権利を示すチケット情報を受信するチケット情報受信部とをさらに備え、
上記番組選択情報送信部は、
上記番組選択情報として、選択された番組に対応した上記チケット情報を、上記サーバ装置に送信する
請求項２に記載の端末装置。
【請求項４】
上記サーバ装置から、上記送信された番組録画予約情報に基づいて作成された番組録画予約リストの情報を受信する番組録画予約リスト情報受信部をさらに備え、
上記番組選択情報送信部は、
上記受信された番組録画予約リスト情報で示される番組録画予約リストから選択された番組の情報を含む番組選択情報を上記サーバ装置に送信する
請求項２に記載の端末装置。
【請求項５】
プロファイル情報を登録するプロファイル情報登録部と、
上記登録されたプロファイル情報を上記サーバ装置に送信するプロファイル情報送信部をさらに備える
請求項１に記載の端末装置。
【請求項６】
上記プロファイル情報には、少なくとも、使用者の属性情報または使用者の使用環境情報が含まれる
請求項５に記載の端末装置。
【請求項７】
番組録画予約情報を受け付けるステップと、
上記受け付けられた番組録画予約情報をサーバ装置に送信するステップとを備える
端末装置における番組処理方法。
【請求項８】
コンピュータを、
番組録画予約情報を受け付ける番組録画予約情報受付手段と、
上記受け付けられた番組録画予約情報をサーバ装置に送信する番組録画予約情報送信手段と
して機能させるプログラム。
【請求項９】
サーバ装置から番組録画予約リストの情報を受信する番組録画予約リスト情報受信部と、
上記受信された番組録画予約リスト情報で示される番組録画予約リストから選択された番組の情報を含む番組選択情報を上記サーバ装置に送信する番組選択情報送信部と、
上記サーバ装置から送られてくる、上記送信された番組選択情報で示される番組のコンテンツ情報を受信する番組コンテンツ情報受信部とを備える
端末装置。
【請求項１０】
サーバ装置から番組録画予約リストの情報を受信するステップと、
上記受信された番組録画予約リスト情報で示される番組録画予約リストから選択された番組の情報を含む番組選択情報を上記サーバ装置に送信するステップと、
上記サーバ装置から送られてくる上記送信された番組選択情報で示される番組のコンテンツ情報を受信するステップとを備える
端末装置における番組処理方法。
【請求項１１】
コンピュータを、
サーバ装置から番組録画予約リストの情報を受信する番組録画予約リスト情報受信手段と、
上記受信された番組録画予約リスト情報で示される番組録画予約リストから選択された番組の情報を含む番組選択情報を上記サーバ装置に送信する番組選択情報送信手段と、
上記サーバ装置から送られてくる上記送信された番組選択情報で示される番組のコンテンツ情報を受信する番組コンテンツ情報受信手段として
機能させるプログラム。
【請求項１２】
端末装置から送られてくる番組録画予約情報を受信する番組録画予約情報受信部と、
上記番組録画予約情報の送信元と同一または異なる端末装置から送られてくる番組選択情報を受信する番組選択情報受信部と、
上記受信された番組選択情報が上記受信された番組録画予約情報に対応しているとき、該番組選択情報で示される番組のコンテンツ情報を、該番組選択情報の送信元の端末装置に送信する番組コンテンツ情報送信部とを備える
サーバ装置。
【請求項１３】
上記受信された番組録画予約情報が示す番組の視聴権利を示すチケット情報を上記番組録画予約情報の送信元の端末装置に送信するチケット情報送信部をさらに備え、
上記番組選択情報受信部は、上記番組選択情報として、上記チケット情報を受信し、
上記番組コンテンツ情報送信部は、上記受信されたチケット情報で視聴権利が示される番組のコンテンツ情報を上記番組選択情報の送信元の端末装置に送信する
請求項１２に記載のサーバ装置。
【請求項１４】
上記受信された番組録画予約情報に基づいて番組録画予約リストを作成する番組録画予約リスト作成部と、
上記作成された番組録画予約リストの情報を上記番組録画予約情報の送信元の端末装置と同一または異なる端末装置に送信する番組録画予約リスト情報送信部をさらに備え、
上記番組コンテンツ情報送信部は、上記受信された番組選択情報が、上記送信された番組録画予約リスト情報で示される番組録画予約リストに含まれる番組の情報を含むとき、該番組のコンテンツ情報を、該番組選択情報の送信元の端末装置に送信する
請求項１２に記載のサーバ装置。
【請求項１５】
上記番組コンテンツ情報を送信する端末装置に課金を行う課金部をさらに備え、
上記課金部は、同一の番組のコンテンツ情報を、一定回数または一定期間を越えて上記端末装置に送信する場合には、該端末装置に課金を行う
請求項１２に記載のサーバ装置。
【請求項１６】
上記端末装置から送られてくるプロファイル情報を受信するプロファイル情報受信部と、
上記送信される番組コンテンツ情報に広告情報を挿入する広告情報挿入部をさらに備え、
上記広告情報挿入部は、上記受信されたプロファイル情報に基づいて、上記番組コンテンツ情報に挿入する広告情報を決定する
請求項１２に記載のサーバ装置。
【請求項１７】
上記広告情報挿入部は、上記受信されたプロファイル情報の他に、さらに、上記番組選択情報の受信日時に基づいて、上記番組コンテンツ情報に挿入する広告情報を決定する
請求項１６に記載のサーバ装置。
【請求項１８】
端末装置から送られてくる番組録画予約情報を受信するステップと、
上記番組録画予約情報の送信元と同一または異なる端末装置から送られてくる番組選択情報を受信するステップと、
上記受信された番組選択情報が上記受信された番組録画予約情報に対応しているとき、該番組選択情報で示される番組のコンテンツ情報を、該番組選択情報の送信元の端末装置に送信するステップとを備える
サーバ装置における番組処理方法。
【請求項１９】
コンピュータを、
端末装置から送られてくる番組録画予約情報を受信する番組録画予約情報受信手段と、
上記番組録画予約情報の送信元と同一または異なる端末装置から送られてくる番組選択情報を受信する番組選択情報受信手段と、
上記受信された番組選択情報が上記受信された番組録画予約情報に対応しているとき、該番組選択情報で示される番組のコンテンツ情報を、該番組選択情報の送信元の端末装置に送信する番組コンテンツ情報送信手段と
して機能させるプログラム。
【請求項２０】
サーバ装置にネットワークを介して端末装置が接続されてなり、
上記サーバ装置は
上記端末装置から番組録画予約情報を受信し、
上記番組録画予約情報の送信元と同一または異なる端末装置から番組選択情報を受信し、
上記受信された番組選択情報が、上記受信された番組録画予約情報に対応しているとき、該番組選択情報で示される番組のコンテンツ情報を、該番組選択情報の送信元の端末装置に送信する
番組処理システム。
【発明の詳細な説明】
【技術分野】
【０００１】
本技術は、端末装置、サーバ装置、端末装置における番組処理方法、サーバ装置における番組処理方法、プログラムおよび番組処理システムに関し、特に、番組の録画予約が可能な端末装置等に関する。
【背景技術】
【０００２】
従来、例えば、ＨＤＤ（Hard disk Drive）等の記録媒体を持つレコーダにおいて、使用者が所望のテレビ番組の録画予約を行うことが可能となっている。その場合、録画予約された番組の放送中に、その番組のコンテンツ情報（画像データ、音声データなど）が記録媒体に自動的に記録され、使用者は任意の時間にその番組のコンテンツ情報を再生して視聴することが可能となる。例えば、特許文献１には、基本的には録画予約された番組の放送中にその番組のコンテンツ情報を記録媒体に記録するが、その番組のＶＯＤ（Video On Demand）コンテンツがある場合には、記録媒体にその番組のコンテンツ情報の記録を行わずにＶＯＤコンテンツを利用する、という技術が示されている。
【先行技術文献】
【特許文献】
【０００３】
【特許文献１】特開２００９−１７２５９号公報
【発明の概要】
【発明が解決しようとする課題】
【０００４】
上述のＨＤＤ等の記録媒体を持つレコーダにおける録画予約では、以下の問題がある。
（１）番組データ自体は放送局に存在しており、それを世界中の多数のユーザが放送波を通して家庭のディスクにコピーしているというあまりに無駄な行為を行っており、機能搭載コストがかかり、さらには録画時には電気代がかかる。
【０００５】
（２）録画したい番組が同時刻に複数チャンネルにわたって存在する場合には、複数のチューナの搭載が必要となり、さらに、複数のディスクに書きこむ処理が必要となる。また、録画したい番組数が搭載チューナ数を超える場合には、超える分に関しては録画できない。
（３）レコーダのディスク容量が不足している場合には、録画できない。
【０００６】
本技術の目的は、番組の録画予約を効果的に行い得るようにすることにある。
【課題を解決するための手段】
【０００７】
本技術の概念は、
番組録画予約情報を受け付ける番組録画予約情報受付部と、
上記受け付けられた番組録画予約情報をサーバ装置に送信する番組録画予約情報送信部とを備える
端末装置にある。
【０００８】
本技術において、番組録画予約情報受付部により、番組録画予約情報が受け付けられる。番組録画予約情報は、例えば、放送開始時刻、放送終了時刻、チャネル番号等である。この番組録画予約情報は、例えば、使用者が、ディスプレイに表示された番組表を利用して入力するようにされてもよい。番組録画予約情報送信部により、受け付けられた番組録画予約情報がサーバ装置に送信され、番組録画予約が行われる。
【０００９】
このように本技術においては、端末装置からサーバ装置に番組録画予約を行ったという事実が伝えられ、端末装置では録画予約された番組は実際には録画されない。つまり、端末装置では、録画予約された番組の仮想的な録画が行われる。したがって、端末装置は、ＨＤＤ等の録画機能の搭載が必要なく、安価に構成可能となる。また、端末装置は、録画をしないので、それにかかる電気代の節約も可能となる。また、録画したい番組が同時刻に複数チャンネルにわたって存在する場合にあっても、端末装置は、複数のチューナを搭載することなく、録画予約を容易に実現でき、またディスク容量不足により録画不可能ということもなくなる。
【００１０】
また、本技術において、例えば、受け付けられた番組録画予約情報に基づいて作成された番組録画予約リストから選択された番組の情報を含む番組選択情報をサーバ装置に送信する番組選択情報送信部と、サーバ装置から送られてくる、送信された番組選択情報で示される番組のコンテンツ情報を受信する番組コンテンツ情報受信部とを、さらに備える、ようにされてもよい。
【００１１】
この場合、例えば、受け付けられた番組録画予約情報に基づいて番組録画予約リストを作成する番組録画予約リスト作成部と、送信された番組録画予約情報に応じて、サーバ装置から送られてくる、この番組録画予約情報で示される番組の視聴権利を示すチケット情報を受信するチケット情報受信部とをさらに備え、番組選択情報送信部は、番組選択情報として、選択された番組に対応したチケット情報をサーバ装置に送信する、ようにされてもよい。
【００１２】
また、この場合、例えば、サーバ装置から、送信された番組録画予約情報に基づいて作成された番組録画予約リストの情報を受信する番組録画予約リスト情報受信部をさらに備え、番組選択情報送信部は、受信された番組録画予約リスト情報で示される番組録画予約リストから選択された番組の情報を含む番組選択情報をサーバ装置に送信する、ようにされてもよい。
【００１３】
この場合、端末装置では、番組録画予約リストに含まれる番組の録画を実際には行っていなくても、その番組のコンテンツ情報をサーバ装置から受信して、取得することが可能となる。したがって、端末装置側では、録画予約した番組の視聴を行うことができる。
【００１４】
また、本技術において、例えば、プロファイル情報を登録するプロファイル情報登録部と、この登録されたプロファイル情報をサーバ装置に送信するプロファイル情報送信部をさらに備える、ようにされてもよい。例えば、プロファイル情報には、少なくとも、使用者の属性情報または使用者の使用環境情報が含まれる、ようにされてもよい。この場合、サーバ装置では、端末装置に送信する録画予約された番組のコンテンツ情報に挿入する広告情報をプロファイル情報に基づいて決定することが可能となり、端末装置の使用者は、より有用な広告情報の提供を受けることができる。
【００１５】
また、本技術の他の概念は、
サーバ装置から番組録画予約リストの情報を受信する番組録画予約リスト情報受信部と、
上記受信された番組録画予約リスト情報で示される番組録画予約リストから選択された番組の情報を含む番組選択情報を上記サーバ装置に送信する番組選択情報送信部と、
上記サーバ装置から送られてくる、上記送信された番組選択情報で示される番組のコンテンツ情報を受信する番組コンテンツ情報受信部とを備える
端末装置にある。
【００１６】
本技術において、番組録画予約リスト情報受信部により、サーバ装置から番組録画予約リストの情報が受信される。例えば、サーバ装置から端末装置への番組録画予約リストの情報の送信は、端末装置からサーバ装置に番組録画予約リストの情報を要求することで行われる。この場合の端末装置は、番組録画予約情報の送信元の端末装置であってもよく、あるいは異なる端末装置であってもよい。また、例えば、番組録画予約情報の送信元の端末装置には、サーバ装置から、番組録画予約リストの情報が自動的に送られてもよい。
【００１７】
番組選択情報送信部により、受信された番組録画予約リスト情報で示される番組録画予約リストから選択された番組の情報を含む番組選択情報がサーバ装置に送信される。そして、番組コンテンツ情報受信部により、サーバ装置から送られてくる、送信された番組選択情報で示される番組のコンテンツ情報が受信される。
【００１８】
このように本技術においては、端末装置で番組録画予約リストに含まれる番組の録画を実際には行っていなくても、その番組のコンテンツ情報をサーバ装置から受信して、取得することが可能となる。したがって、端末装置側では、録画予約した番組の視聴を行うことができる。
【００１９】
また、本技術のさらに他の概念は、
端末装置から送られてくる番組録画予約情報を受信する番組録画予約情報受信部と、
上記番組録画予約情報の送信元と同一または異なる端末装置から送られてくる番組選択情報を受信する番組選択情報受信部と、
上記受信された番組選択情報が上記受信された番組録画予約情報に対応しているとき、該番組選択情報で示される番組のコンテンツ情報を、該番組選択情報の送信元の端末装置に送信する番組コンテンツ情報送信部とを備える
サーバ装置にある。
【００２０】
本技術において、番組録画予約情報受信部により、端末装置から送られてくる番組録画予約情報が受信される。サーバ装置では、この番組録画予約情報の受信により、番組録画予約の事実を把握する。番組選択情報受信部により、番組録画予約情報の送信元と同一または異なる端末装置から送られてくる番組選択情報が受信される。そして、番組コンテンツ情報送信部により、受信された番組選択情報が受信された番組録画予約情報に対応しているとき、この番組選択情報で示される番組のコンテンツ情報が、この番組選択情報の送信元の端末装置に送信される。
【００２１】
例えば、受信された番組録画予約情報が示す番組の視聴権利を示すチケット情報を番組録画予約情報の送信元の端末装置に送信するチケット情報送信部をさらに備え、番組選択情報受信部は、番組選択情報として、チケット情報を受信し、番組コンテンツ情報送信部は、受信されたチケット情報で視聴権利が示される番組のコンテンツ情報を番組選択情報の送信元の端末装置に送信する、ようにされてもよい。
【００２２】
また、例えば、受信された番組録画予約情報に基づいて番組録画予約リストを作成する番組録画予約リスト作成部と、この作成された番組録画予約リストの情報を番組録画予約情報の送信元の端末装置と同一または異なる端末装置に送信する番組録画予約リスト情報送信部をさらに備え、番組コンテンツ情報送信部は、受信された番組選択情報が、送信された番組録画予約リスト情報で示される番組録画予約リストに含まれる番組の情報を含むとき、この番組のコンテンツ情報を、この番組選択情報の送信元の端末装置に送信する、ようにされてもよい。
【００２３】
このように本技術においては、端末装置から番組選択情報が送信されてくるとき、サーバ装置では、その番組選択情報が示す番組の録画予約の事実を把握している場合、その番組選択情報で示される番組のコンテンツ情報を、その番組選択情報の送信元の端末装置に送信することが行われる。したがって、端末装置では、番組録画予約リストに含まれる番組の録画を実際には行っていなくても、その番組のコンテンツ情報をサーバ装置から受信して、取得することが可能となる。したがって、端末装置側では、録画予約した番組の視聴を行うことができる。
【００２４】
なお、本技術において、例えば、番組コンテンツ情報を送信する端末装置に課金を行う課金部をさらに備え、この課金部は、同一の番組のコンテンツ情報を、一定回数または一定期間を越えて端末装置に送信する場合には、この端末装置に課金を行う、ようにされてもよい。
【００２５】
また、本技術において、端末装置から送られてくるプロファイル情報を受信するプロファイル情報受信部と、送信される番組コンテンツ情報に広告情報を挿入する広告情報挿入部をさらに備え、広告情報挿入部は、受信されたプロファイル情報に基づいて、番組コンテンツ情報に挿入する広告情報を決定する、ようにされてもよい。この場合、端末装置の使用者により有用な広告情報を番組コンテンツ情報に挿入することが可能となる。
【００２６】
また、本技術において、広告情報挿入部は、受信されたプロファイル情報の他に、さらに、上記番組選択情報の受信日時に基づいて、上記番組コンテンツ情報に挿入する広告情報を決定する、ようにされてもよい。この場合、端末装置の使用者により有用、かつタイムリーな広告情報を番組コンテンツ情報に挿入することが可能となる。
【発明の効果】
【００２７】
本技術によれば、番組の録画予約を効果的に行うことができる。
【図面の簡単な説明】
【００２８】
【図１】第１の実施の形態としての番組処理システムの構成例を示すブロック図である。
【図２】番組処理システムを構成する端末装置の構成例を示すブロック図である。
【図３】番組処理システムを構成するサーバ装置の構成例を示すブロック図である。
【図４】番組処理システムを構成する端末装置およびサーバ装置が持つ機能を示す図である。
【図５】番組処理システムを構成する端末装置およびサーバ装置の処理の流れの一例を示す図である。
【図６】番組録画予約リスト（番組リスト）におけるステータス情報の遷移を説明するための図である。
【図７】番組処理システムを構成する端末装置およびサーバ装置の処理の流れの他の例を示す図である。
【図８】第２の実施の形態としての番組処理システムの構成例を示すブロック図である。
【図９】番組処理システムを構成する携帯機器の構成例を示すブロック図である。
【図１０】番組処理システムを構成する端末装置、携帯機器およびサーバ装置が持つ機能を示す図である。
【図１１】番組処理システムを構成する端末装置、携帯機器およびサーバ装置の処理の流れの一例を示す図である。
【発明を実施するための形態】
【００２９】
以下、発明を実施するための形態（以下、「実施の形態」とする）について説明する。なお、説明は以下の順序で行う。
１．第１の実施の形態
２．第２の実施の形態
３．変形例
【００３０】
＜１．第１の実施の形態＞
［番組処理システムの構成例］
図１は、第１の実施の形態としての番組処理システム１００の構成例を示している。この番組処理システム１００は、放送局のサーバ装置１０１に、ネットワーク、例えばインターネット１０２を介して、端末装置１０３が接続された構成となっている。端末装置１０３には、モニタ装置としてのディスプレイ１０４が接続されている。なお、ディスプレイ１０４が端末装置１０３に内蔵された構成も考えられる。また、端末装置１０３およびディスプレイ１０４がテレビ受信機に組み込まれた構成も考えられる。
【００３１】
この番組処理システム１００では、端末装置１０３からインターネット１０２を介してサーバ装置１０１に番組録画予約情報が送信され、サーバ装置１０１ではその番組録画予約情報が受信される。この番組録画予約情報の送受信により、端末装置１０３はサーバ装置１０１に番組録画予約を行ったという事実を伝え、一方、サーバ装置１０１は端末装置１０３で番組録画予約が行われたという事実を把握する。この場合、端末装置１０３では録画予約された番組の録画は実際には行われない。なお、インターネット１０２経由の通信では、ＩＤ等による機器／ユーザの認証が行われる。
【００３２】
この番組録画予約情報には、例えば、放送開始時刻、放送終了時刻、チャネル番号等の録画予約をする番組を特定するための情報が含まれる。端末装置１０３の使用者は、例えば、ディスプレイ１０４に表示された番組表を利用して、番組録画予約情報を入力することが可能とされる。この場合、例えば、端末装置１０３自身が放送信号を受信して番組表情報（ＥＰＧ情報）を取得し、あるいは、端末装置１０３はサーバ装置１０１から番組表情報を受信する。
【００３３】
また、この番組処理システム１００では、端末装置１０３からインターネット１０２を介してサーバ装置１０１に番組選択情報が送信され、サーバ装置１０１ではその番組選択情報が受信される。この場合、端末装置１０３では、例えば、ディスプレイ１０４に表示された番組録画予約リストに基づいて使用者が所望の番組を選択することが行われ、その番組の情報を含む番組選択情報が生成される。ここで、番組録画予約リストは、端末装置１０３自身で作成されるか、あるいはサーバ装置１０１で作成される。番組録画予約リストがサーバ装置１０１で作成される場合、端末装置１０３は番組録画予約リストの情報をサーバ装置１０１から受信する。
【００３４】
また、この番組処理システム１００では、サーバ装置１０１で受信された番組選択情報が、受信された番組録画予約情報に対応しているとき、サーバ装置１０１から端末装置１０３に、その番組選択情報で示される番組のコンテンツ情報が送信される。そして、端末装置１０３では、サーバ装置１０１から送られてくる番組コンテンツ情報が受信され、その番組の視聴、つまりストリーミング再生が可能となる。
【００３５】
また、この番組処理システム１００では、端末装置１０３で登録されたプロファイル情報が、端末装置１０３からインターネット１０２を介してサーバ装置１０１に送信される。サーバ装置１０１では、端末装置１０３に送信する番組コンテンツ情報に挿入すべき広告情報（広告データ）が、上述のプロファイル情報に基づいて決定される。なお、サーバ装置１０１では、端末装置１０３に送信する番組コンテンツ情報に挿入すべき広告情報が、プロファイル情報の他に、さらに、番組選択情報の受信日時に基づいてタイムリーに決定されることもある。
【００３６】
また、この番組処理システム１００では、サーバ装置１００から端末装置１０３に番組コンテンツ情報を送信する際には、その端末装置１０３に課金がされる場合がある。例えば、番組録画予約が行われた後に一定期間を越えて端末装置１０３に番組コンテンツ情報を送信する際には課金される。また、例えば、番組録画予約が行われた後に一定回数を越えて端末装置１０３に番組コンテンツ情報を送信する際には課金される。
【００３７】
［端末装置、サーバ装置の構成例］
図２は、端末装置１０３の構成例を示している。この端末装置１０３は、制御部１３１と、情報記録部１３２と、表示出力インタフェース１３３と、操作部インタフェース１３４と、操作部１３５と、チューナ部１３６と、デコード部１３７と、通信インタフェース１３８と、内部バス１３９を有している。
【００３８】
制御部１３１は、端末装置１０３の各部の動作を制御する。この制御部１３１は、ＣＰＵ、ＲＯＭ、ＲＡＭ等を備えており、ＣＰＵがＲＯＭに格納されたプログラムに基づいて制御処理を実行する。情報記録部１３２は、例えば、不揮発性メモリ等で構成され、種々のデータを保持する。表示出力インタフェース（表示出力Ｉ／Ｆ）１３３は、ディスプレイ１０４に表示出力としての画像データを出力する。操作部インタフェース（操作部Ｉ／Ｆ）１３４は、操作部１３５の操作信号を入力する。
【００３９】
チューナ部１３６は、アンテナで捉えられたテレビ放送信号を処理して、画像データ、音声データなどの多重化ストリームを得る。デコード部１３７は、チューナ部１３６で得られる、あるいはサーバ装置１０１から送られてくる多重化ストリーム（番組コンテンツ情報）に対してデコード処理を行って、画素データ、音声データなどを得る。通信インタフェース（通信Ｉ／Ｆ）１３８は、インターネット１０２を介してサーバ装置１０１との間で種々の情報の通信を行う。なお、チューナ部１３６は、必ずしも必要な構成要素ではなく、例えば、番組表情報をサーバ装置１０１から受信する場合にはなくてもよい。
【００４０】
図３は、サーバ装置１０１の構成例を示している。このサーバ装置１０１は、制御部１１１と、情報記録インタフェース１１２と、ハードディスク１１３と、表示出力インタフェース１１４と、ディスプレイ１１５と、操作部インタフェース１１６と、操作部１１７と、通信インタフェース１１８と、内部バス１１９を有している。
【００４１】
制御部１１１は、サーバ装置１０１の各部の動作を制御する。この制御部１１１は、ＣＰＵ、ＲＯＭ、ＲＡＭ等を備えており、ＣＰＵがＲＯＭに格納されたプログラムに基づいて制御処理を実行する。情報記録インタフェース（情報記録Ｉ／Ｆ）１１２は、ハードディスク１１３に対する種々の情報の記録およびその再生を制御する。表示出力インタフェース（表示出力Ｉ／Ｆ）１１４は、ディスプレイ１１５に表示出力としての画像データを出力する。操作部インタフェース（操作部Ｉ／Ｆ）１１６は、操作部１１７の操作信号を入力する。通信インタフェース（通信Ｉ／Ｆ）１１８は、インターネット１０２を介して、端末装置１０３等との間で種々の通信を行う。
【００４２】
上述の図２に示す構成の端末装置１０３は、図４に示すように、画像出力機能、通信機能、データ保持機能、動画再生機能、情報処理機能などを持っている。また、上述の図３に示す構成のサーバ装置１０１は、図４に示すように、通信機能、データ保持機能、動画送信機能、情報処理機能などを持っている。
【００４３】
［番組処理システムの処理の流れ］
図５は、図１に示す番組処理システム１００を構成する端末装置１０３およびサーバ装置１０１の処理の流れの一例を示している。
【００４４】
（Ａ１）端末装置１０３では、プロファイル情報の登録が行われる。登録されたプロファイル情報は、情報記録部１３２に保持される。上述したように、このプロファイル情報には、例えば、少なくとも、使用者の属性情報または使用者の使用環境情報が含まれる。このように情報登録部１３２に保持されたプロファイル情報は、通信インタフェース１３８により、インターネット１０２を介して、サーバ装置１０１に送られる。サーバ装置１０１では、通信インタフェース１１８により、このプロファイル情報が受信され、ハードディスク１１３に記録保持される。
【００４５】
ここで、使用者の属性情報（ユーザ属性系情報）は、例えば、性別、年齢、居住地などである。この使用者の属性情報は、例えば、プロファイル登録画面にて登録され、情報記録部１３２に保持される。また、使用者の使用環境情報（ユーザ使用環境情報系情報）は、予約日時、予約位置（ＧＰＳ情報など）、使用者の脈拍、体脂肪、体温など生体情報などである。この使用者の使用環境情報は、例えば、図示しないが端末装置１０３、あるいはリモートコントローラに搭載されている時計、ＧＰＳ（Global Positioning System）、センサなどから取得されて、情報記録部１３２に保持される。
【００４６】
（Ａ２）端末装置１０３では、表示出力インタフェース１３３からディスプレイ１０４に番組表の表示信号が供給され、このディスプレイ１０４に番組表が表示される。（Ｂ１）この場合、サーバ装置１０１では、例えば端末装置１０３からの要求により、ハードディスク１１３に保持する番組表データ（番組表情報）を、通信インタフェース１１８により、インターネット１０２を介して、端末装置１０３に送信することが行われる。なお、端末装置１０３では、チューナ部１３６において、放送信号から、番組表データ（ＥＰＧデータ）を取得することも考えられる。
【００４７】
（Ａ３）端末装置１０３では、使用者により、ディスプレイ１０４に表示された番組表に基づいて、予約投入、すなわち、番組録画予約情報の入力が行われる。なお、番組表から番組を探して番組録画予約を行う代わりに、放送中の番組に対して視聴画面上で番組録画予約を行うことも考えられる。（Ａ４）この使用者による番組録画予約情報の入力操作により、情報記録部１３２に、番組録画予約情報が記録保持される。この番組録画予約情報には、録画予約対象の番組の放送開始時刻、放送終了時刻、チャネル番号等の情報が含まれる。
【００４８】
（Ａ５）端末装置１０３では、仮想録画が行われる。この場合、予約した番組の放送開始時刻になったら、端末装置１０３から、通信インタフェース１３８により、インターネット１０２を介して、サーバ装置１０１に番組録画予約情報が送信される。（Ｂ２）サーバ装置１０１では、通信インタフェース１１８により、その番組録画予約情報が受信され、ハードディスク１１３に記録保持される。この番組録画予約情報の送受信により、端末装置１０３はサーバ装置１０１に番組録画予約を行ったという事実を伝えることができ、一方、サーバ装置１０１は端末装置１０３で番組録画予約が行われたという事実を把握できる。
【００４９】
（Ｂ３）サーバ装置１０１では、番組の終了時刻が経過した後に、制御部１１１からその番組の視聴権利を示すチケット情報が発行され、通信インタフェース１１８により、インターネット１０２を介して、端末装置１０３に送信される。端末装置１０３では、通信インタフェース１３８により、このチケット情報が受信され、情報記録部１３２に記録保持される。このチケット情報は、録画したことを示す証拠であり、暗号化されている。
【００５０】
なお、端末装置１０３では、例えば、使用者が番組録画予約情報を入力した時点で、情報記録部１３２に作成されている番組録画予約リスト（番組リスト）に、新たな番組が追加される。そして、この番組録画予約リストにおいて、この新たに録画予約された番組のステータスが、順次変更されていく。
【００５１】
すなわち、番組録画予約情報を入力した時点からその番組の放送開始時刻になるまでは、図６（ｂ）に示すように、ステータスは「予約」とされる。また、その番組の放送開始時刻となって番組録画予約情報がサーバ装置１０１に送信されて仮想録画が開始されてからその番組の放送終了時刻になるまでは、図６（ｃ）に示すように、ステータスは「録画中」とされる。さらにその番組の放送終了時刻となった後は、図６（ｄ）に示すように、ステータスは「録画完了」とされる。なお、図６（ａ）は、番組表の一例を示している。
【００５２】
（Ａ６）端末装置１０３では、録画予約された番組を再生する際に、番組録画予約リスト（番組リスト）を、ディスプレイ１０４に表示することが行われる。この場合、情報記録部１３２に記録されている番組録画予約リストの表示信号が表示出力インタフェース１３３を通じてディスプレイ１０４に供給される。この場合、使用者は、ディスプレイ１０４に表示される番組録画予約リストに含まれる番組のうち、ステータスが「録画中」もしくは「録画完了」のステータスの番組を再生することができる。
【００５３】
（Ａ７）端末装置１０３では、使用者がディスプレイ１０４に表示されている番組録画予約リストから所望の番組を選択したとき、その番組の情報を含む番組選択情報を、通信インタフェース１３８により、インターネット１０２を介して、サーバ装置１０１に送信することが行われる。この場合、番組選択情報として、情報記録部１３２に記録保持されているチケット情報が送信される。
【００５４】
（Ｂ４）サーバ装置１０１では、通信インタフェース１１８により、端末装置１０３から送られてくるチケット情報が受信され、ハードディスク１１３に記録保持される。サーバ装置１０１では、このチケット情報が正当なものであるか否かがチェックされ、正当なものであるときは、そのチケット情報が示す番組は再生可能であると判定される。
【００５５】
（Ｂ５）サーバ装置１０１では、上述したように再生可能と判定された番組のコンテンツ情報（番組データ）に、広告データ（広告情報）を挿入することが行われる。なお、この番組コンテンツ情報（番組データ）は、ハードディスク１１３に記録保持されている。ここで、挿入される広告データは、端末装置１０３から送られてきているプロファイル情報に基づいて、端末装置１０１の使用者にとってより有用なものに決定される。また、この場合、挿入される広告データは、チケット情報が送信された日時に応じたものとされ、タイムリーなものとされる。
【００５６】
例えば、性別が女性ならば、女性服のＣＭが挿入される。また、例えば、居住地が北海道で季節が冬ならば防寒具のＣＭが挿入される。また、例えば、脈拍が高ければ、ハイテンションな曲のＣＭが挿入される。
【００５７】
（Ｂ６）サーバ装置１０１では、広告データ（広告情報）が挿入された番組コンテンツ情報（番組データ）が、通信インタフェース１１８により、インターネット１０２を介して、端末装置１０３に送信することが行われる。この場合、サーバ装置１０１では、例えば、ある番組について番組録画予約が行われた後に、一定期間を越えて、あるいは、一定回数を越えて、端末装置１０３にその番組のコンテンツ情報を送信する際には、端末装置１０３に課金がされる。
【００５８】
（Ａ８）端末装置１０３では、サーバ装置１０１から送られてくる番組コンテンツ情報が通信インタフェース１３８で受信され、デコード部１３７でデコード処理がされて、表示出力インタフェース１３３から画像データがディスプレイ１０４に供給され、番組の再生（ストリーミング再生）が行われる。図２の端末装置１０３においては、音声系については、省略している。
【００５９】
なお、図５に示す処理の流れは、上述したように、端末装置１０３側で番組録画予約リスト（番組リスト）を作成保持する例であったが、この番組録画予約リスト（番組リスト）をサーバ装置１０１側で作成保持することも考えられる。図７は、その場合における、番組処理システム１００を構成する端末装置１０３およびサーバ装置１０１の処理の流れの一例を示している。
【００６０】
（Ａ１１）端末装置１０３では、プロファイル情報の登録が行われる。登録されたプロファイル情報は、情報記録部１３２に保持される。このように情報登録部１３２に保持されたプロファイル情報は、通信インタフェース１３８により、インターネット１０２を介して、サーバ装置１０１に送られる。サーバ装置１０１では、通信インタフェース１１８により、このプロファイル情報が受信され、ハードディスク１１３に記録保持される。
【００６１】
（Ａ１２）端末装置１０３では、表示出力インタフェース１３３からディスプレイ１０４に番組表の表示信号が供給され、このディスプレイ１０４に番組表が表示される。（Ｂ１１）この場合、サーバ装置１０１では、例えば端末装置１０３からの要求により、ハードディスク１１３に保持する番組表データ（番組表情報）を、通信インタフェース１１８により、インターネット１０２を介して、端末装置１０３に送信することが行われる。なお、端末装置１０３では、チューナ部１３６において、放送信号から、番組表データ（ＥＰＧデータ）を取得することも考えられる。
【００６２】
（Ａ１３）端末装置１０３では、使用者により、ディスプレイ１０４に表示された番組表に基づいて、予約投入、すなわち、番組録画予約情報の入力が行われる。なお、番組表から番組を探して番組録画予約を行う代わりに、放送中の番組に対して視聴画面上で番組録画予約を行うことも考えられる。この番組録画予約情報は、通信インタフェース１３８により、インターネット１０２を介して、サーバ装置１０１に送られ、サーバ装置１０１のハードディスク１１３に記録保持される。この番組録画予約情報には、録画予約対象の番組の放送開始時刻、放送終了時刻、チャネル番号等の情報が含まれる。
【００６３】
（Ｂ１２）サーバ装置１０１では、予約した番組の放送開始時刻になったら、仮想録画が開始される。この場合、実際に録画されるのではなく、番組録画予約リスト（番組リスト）における、その番組のステータスが「予約」から「録画中」に変更される。そして、その番組の放送開始時刻になったら、その番組のステータスが、さらに「録画中」から「録画完了」に変更される。
【００６４】
すなわち、サーバ装置１０１では、例えば、制御部１１１により、端末装置１０３に対応した番組録画予約リスト（番組リスト）が作成され、ハードディスク１１３に記録保持される。サーバ装置１０１では、端末装置１０３から番組録画予約情報が送信されてきた時点で、番組録画予約情報で示される番組を含む番組録画予約リスト（番組リスト）が新たに作成されるか、あるいは既に存在する番組録画予約リスト（番組リスト）にその番組が追加される。そして、この番組録画予約リストにおいて、この新たな番組のステータスが、順次変更されていく。
【００６５】
つまり、番組録画予約情報が送られてきた時点からその番組の放送開始時刻になるまでは、図６（ｂ）に示すように、ステータスは「予約」とされる。また、その番組の放送開始時刻からその番組の放送終了時刻までは、図６（ｃ）に示すように、ステータスは「録画中」とされる。さらにその番組の放送終了時刻となった後は、図６（ｄ）に示すように、ステータスは「録画完了」とされる。
【００６６】
（Ａ１４）端末装置１０３では、録画予約された番組を再生する際に、番組録画予約リスト（番組リスト）を、ディスプレイ１０４に表示することが行われる。この場合、端末装置１０３では、サーバ装置１０１に番組録画予約リストを要求することで、その情報の取得が行われる。端末装置１０３が、既に、番組録画予約リストをサーバ装置１０１から取得している場合には、それを使用することもできる。しかし、この要求により、端末装置１０３は、最新の番組録画予約リストをサーバ装置１０１から取得することが可能となる。
【００６７】
サーバ装置１０１では、端末装置１０３から、番組録画予約リスト（番組リスト）の要求があるとき、ハードディスク１１３から番組録画予約リスト（番組リスト）を読み出し、通信インタフェース１１８により、インターネット１０２を介して、端末装置１０３に送信することが行われる。端末装置１０３では、通信インタフェース１３８により、この番組録画予約リスト（番組リスト）が受信され、情報記録部１３２に記録保持される。
【００６８】
端末装置１０３では、このように取得された番組録画予約リスト情報に基づいて、番組録画予約リストの表示信号が表示出力インタフェース１３３を通じてディスプレイ１０４に供給される。この場合、使用者は、ディスプレイ１０４に表示される番組録画予約リストに含まれる番組のうち、ステータスが「録画中」もしくは「録画完了」のステータスの番組を再生することができる。
【００６９】
（Ａ１５）端末装置１０３では、使用者がディスプレイ１０４に表示されている番組録画予約リストから所望の番組を選択したとき、その番組の情報を含む番組選択情報を、通信インタフェース１３８により、インターネット１０２を介して、サーバ装置１０１に送信することが行われる。（Ｂ１３）サーバ装置１０１では、通信インタフェース１１８により、端末装置１０３から送られてくる番組選択情報が受信され、ハードディスク１１３に記録保持される。サーバ装置１０１では、この番組選択情報が、端末装置１０３に送信した番組録画予約リストに含まれる番組を含むか否かがチェックされ、含むときは、その番組選択情報が示す番組は再生可能であると判定される。
【００７０】
（Ｂ１４）サーバ装置１０１では、上述したように再生可能と判定された番組のコンテンツ情報（番組データ）に、広告データ（広告情報）を挿入することが行われる。この場合、挿入される広告データは、端末装置１０３から送られてきているプロファイル情報に基づいて、端末装置１０３の使用者にとってより有用なものに決定される。また、この場合、挿入される広告データは、番組選択情報が送信された日時に応じたものとされ、タイムリーなものとされる。
【００７１】
（Ｂ１５）サーバ装置１０１では、広告データ（広告情報）が挿入された番組コンテンツ情報（番組データ）が、通信インタフェース１１８により、インターネット１０２を介して、端末装置１０３に送信することが行われる。この場合、サーバ装置１０１では、例えば、ある番組について番組録画予約が行われた後に、一定期間を越えて、あるいは、一定回数を越えて、端末装置１０３にその番組のコンテンツ情報を送信する際には、端末装置１０３に課金がされる。
【００７２】
（Ａ１５）端末装置１０３では、サーバ装置１０１から送られてくる番組コンテンツ情報が通信インタフェース１３８で受信され、デコード部１３７でデコード処理がされて、表示出力インタフェース１３３から画像データがディスプレイ１０４に供給され、番組の再生（ストリーミング再生）が行われる。
【００７３】
上述したように、図１に示す番組処理システム１００においては、端末装置１０３からサーバ装置１０１に番組録画予約を行ったという事実が伝えられ、端末装置１０３では録画予約された番組は実際には録画されない。したがって、端末装置１０３は、ＨＤＤ等の録画機能の搭載が必要なく、安価に構成可能となる。また、端末装置１０３は、録画をしないので、それにかかる電気代の節約も可能となる。また、録画したい番組が同時刻に複数チャンネルにわたって存在する場合にあっても、端末装置１０３は、複数のチューナを搭載することなく、録画予約を容易に実現でき、またディスク容量不足により録画不可能ということもなくなる。
【００７４】
また、図１に示す番組処理システム１００においては、端末装置１０３からサーバ装置１０１にプロファイル情報（使用者の属性情報または使用者の使用環境情報）が送信される。そのため、サーバ装置１０１では、端末装置１０３に送信する録画予約された番組のコンテンツ情報に挿入する広告情報を、このプロファイル情報に基づいて決定することができ、端末装置１０３の使用者はより有用な広告情報の提供を受けることが可能となる。
【００７５】
また、図１に示す番組処理システム１００においては、端末装置１０３は実際に録画予約された番組を再生する場合に、番組選択情報（チケット情報を含む）をサーバ装置１０１に送信するものである。したがって、サーバ装置１０１は、録画予約された番組が実際に再生（視聴）されたかどうかを容易に把握することができる。
【００７６】
＜２．第２の実施の形態＞
［番組処理システムの構成例］
図８は、第２の実施の形態としての番組処理システム１００Ａの構成例を示している。この図８において、図１と対応する部分には同一符号を付し、適宜、その詳細説明を省略する。この番組処理システム１００Ａは、放送局のサーバ装置１０１に、ネットワーク、例えばインターネット１０２を介して、端末装置１０３および携帯機器１０５が接続された構成となっている。端末装置１０３には、モニタ装置としてのディスプレイ１０４が接続されている。
【００７７】
この番組処理システム１００Ａでは、端末装置１０３からインターネット１０２を介してサーバ装置１０１に番組予約情報が送信され、サーバ装置１０１ではその番組予約情報が受信される。この番組録画予約情報の送受信により、端末装置１０３はサーバ装置１０１に番組録画予約を行ったという事実を伝え、一方、サーバ装置１０１は端末装置１０３で番組録画予約が行われたという事実を把握する。この場合、端末装置１０３では録画予約された番組の録画は実際には行われない。
【００７８】
この番組録画予約情報には、例えば、放送開始時刻、放送終了時刻、チャネル番号等の録画予約をする番組を特定するための情報が含まれる。端末装置１０３の使用者は、例えば、ディスプレイ１０４に表示された番組表を利用して、番組録画予約情報を入力することが可能とされる。この場合、例えば、端末装置１０３自身が放送信号を受信して番組表情報（ＥＰＧ情報）を取得し、あるいは、端末装置１０３はサーバ装置１０１から番組表情報を受信する。
【００７９】
また、この番組処理システム１００Ａでは、携帯機器１０５からインターネット１０２を介してサーバ装置１０１に番組選択情報が送信され、サーバ装置１０１ではその番組選択情報が受信される。この場合、携帯機器１０５では、表示部（ディスプレイ）に表示された番組録画予約リストに基づいて使用者が所望の番組を選択することが行われ、その番組の情報を含む番組選択情報が発生される。ここで、番組録画予約リストはサーバ装置１０１で作成され、携帯機器１０５は番組録画予約リストをサーバ装置１０１から受信する。
【００８０】
また、この番組処理システム１００Ａでは、サーバ装置１０１で受信された番組選択情報が、端末装置１０３から受信された番組録画予約情報に対応しているとき、サーバ装置１０１から携帯機器１０５に、その番組選択情報で示される番組のコンテンツ情報が送信される。そして、携帯機器１０５では、サーバ装置１０１から送られてくる番組コンテンツ情報が受信され、その番組の視聴、つまりストリーミング再生が可能となる。
【００８１】
また、この番組処理システム１００Ａでは、端末装置１０３で登録されたプロファイル情報が、端末装置１０３からインターネット１０２を介してサーバ装置１０１に送信される。サーバ装置１０１では、携帯機器１０５に送信する番組コンテンツ情報に挿入すべき広告情報（広告データ）が、上述のプロファイル情報に基づいて決定される。なお、サーバ装置１０１では、携帯機器１０５に送信する番組コンテンツ情報に挿入すべき広告情報が、プロファイル情報の他に、さらに、番組選択情報の受信日時に基づいて決定されることもある。
【００８２】
また、この番組処理システム１００Ａでは、サーバ装置１００から携帯機器１０５に番組コンテンツ情報を送信する際には、その携帯機器１０５に課金される場合がある。例えば、番組録画予約が行われた後に一定期間を越えて携帯機器１０５に番組コンテンツ情報を送信する際には課金される。また、例えば、番組録画予約が行われた後に一定回数を越えて携帯機器１０５に番組コンテンツ情報を送信する際には課金される。
【００８３】
［端末装置、携帯機器、サーバ装置の構成例］
詳細説明は省略するが、端末装置１０３およびサーバ装置１０１は、上述の図１に示す番組処理システム１００における端末装置１０３およびサーバ装置１０１と同様に構成される（図２、図３参照）
【００８４】
図９は、携帯機器１０５の構成例を示している。この携帯機器１０５は、制御部１５０と、情報記録部１５１と、表示出力インタフェース１５２と、ディスプレイ（表示部）１５３と、操作部インタフェース１５４と、操作部１５５と、チューナ部１５６と、デコード部１５７と、通信インタフェース１５８と、内部バス１５９を有している。
【００８５】
制御部１５０は、携帯機器１０５の各部の動作を制御する。この制御部１５０は、ＣＰＵ、ＲＯＭ、ＲＡＭ等を備えており、ＣＰＵがＲＯＭに格納されたプログラムに基づいて制御処理を実行する。情報記録部１５１は、例えば、不揮発性メモリ等で構成され、種々のデータを保持する。表示出力インタフェース（表示出力Ｉ／Ｆ）１５２は、ディスプレイ１５３に表示出力としての画像データを出力する。操作部インタフェース（操作部Ｉ／Ｆ）１５４は、操作部１５５の操作信号を入力する。
【００８６】
チューナ部１５６は、アンテナで捉えられたテレビ放送信号を処理して、画像データ、音声データなどの多重化ストリームを得る。デコード部１５７は、チューナ部１５６で得られる、あるいはサーバ装置１０１から送られてくる多重化ストリーム（番組コンテンツ情報）に対してデコード処理を行って、画素データ、音声データなどを得る。通信インタフェース（通信Ｉ／Ｆ）１５８は、インターネット１０２を介してサーバ装置１０１との間で種々の情報の通信を行う。なお、チューナ部１５６は、必ずしも必要な構成要素ではない。
【００８７】
上述の図９に示す構成の携帯機器１０５は、図１０に示すように、通信機能、データ保持機能、動画再生機能、情報処理機能などを持っている。なお、番組処理システム１００Ａを構成する端末装置１０３およびサーバ装置１０１に関しては、図１に示す番組処理システム１００における端末装置１０３およびサーバ装置１０１と同様の機能を有している（図１０、図４参照）。
【００８８】
［番組処理システムの処理の流れ］
図１１は、図８に示す番組処理システム１００Ａを構成する端末装置１０３、携帯機器１０５およびサーバ装置１０１の処理の流れの一例を示している。
【００８９】
（Ａ２１）端末装置１０３では、プロファイル情報の登録が行われる。登録されたプロファイル情報は、情報記録部１３２に保持される。このように情報登録部１３２に保持されたプロファイル情報は、通信インタフェース１３８により、インターネット１０２を介して、サーバ装置１０１に送られ、サーバ装置１０１のハードディスク１１３に記録保持される。
【００９０】
（Ａ２２）端末装置１０３では、表示出力インタフェース１３３からディスプレイ１０４に番組表の表示信号が供給され、このディスプレイ１０４に番組表が表示される。（Ｂ２１）この場合、サーバ装置１０１では、例えば端末装置１０３からの要求により、ハードディスク１１３に保持する番組表データ（番組表情報）を、通信インタフェース１１８により、インターネット１０２を介して、端末装置１０３に送信することが行われる。なお、端末装置１０３では、チューナ部１３６において、放送信号から、番組表データ（ＥＰＧデータ）を取得することも考えられる。
【００９１】
（Ａ２３）端末装置１０３では、使用者により、ディスプレイ１０４に表示された番組表に基づいて、予約投入、すなわち、番組録画予約情報の入力が行われる。なお、番組表から番組を探して番組録画予約を行う代わりに、放送中の番組に対して視聴画面上で番組録画予約を行うことも考えられる。この番組録画予約情報は、通信インタフェース１３８により、インターネット１０２を介して、サーバ装置１０１に送られ、サーバ装置１０１のハードディスク１１３に記録保持される。この番組録画予約情報には、録画予約対象の番組の放送開始時刻、放送終了時刻、チャネル番号等の情報が含まれる。
【００９２】
（Ｂ２２）サーバ装置１０１では、予約した番組の放送開始時刻になったら、仮想録画が開始される。この場合、実際に録画されるのではなく、番組録画予約リスト（番組リスト）における、その番組のステータスが「予約」から「録画中」に変更される。そして、その番組の放送開始時刻になったら、その番組のステータスが、さらに「録画中」から「録画完了」に変更される。
【００９３】
すなわち、サーバ装置１０１では、例えば、端末装置１０３から番組録画予約情報が送信されてきた時点で、ハードディスク１１３に作成されている番組録画予約リスト（番組リスト）に、新たな番組が追加される。そして、この番組録画予約リストにおいて、この新たな番組のステータスが、順次変更されていく。
【００９４】
つまり、番組録画予約情報が送られてきた時点からその番組の放送開始時刻になるまでは、図６（ｂ）に示すように、ステータスは「予約」とされる。また、その番組の放送開始時刻からその番組の放送終了時刻までは、図６（ｃ）に示すように、ステータスは「録画中」とされる。さらにその番組の放送終了時刻となった後は、図６（ｄ）に示すように、ステータスは「録画完了」とされる。
【００９５】
（Ｃ２１）携帯機器１０５では、録画予約された番組を再生する際に、番組録画予約リスト（番組リスト）を、ディスプレイ１５３に表示することが行われる。この場合、例えば、サーバ装置１０１に番組録画予約リストを要求することで、その情報の取得が行われる。なお、携帯機器１０５が端末装置１０３の録画予約に係る番組の正当な再生権限があることを証明するために、例えば、携帯機器１０５からサーバ装置１０１に送信される番組録画予約リストの要求には、端末装置１０３の識別情報（機器ＩＤ、ＵＲＬ、ＩＰアドレスなど）が付加される。
【００９６】
携帯機器１０５では、このように取得された番組録画予約リスト情報に基づいて、番組録画予約リストの表示信号が表示出力インタフェース１５２を通じてディスプレイ１５３に供給される。この場合、携帯機器１０５の使用者は、ディスプレイ１５３に表示される番組録画予約リストに含まれる番組のうち、ステータスが「録画中」もしくは「録画完了」のステータスの番組を再生することができる。
【００９７】
（Ｃ２２）携帯機器１０５では、使用者がディスプレイ１５３に表示されている番組録画予約リストから所望の番組を選択したとき、その番組の情報を含む番組選択情報を、通信インタフェース１５８により、インターネット１０２を介して、サーバ装置１０１に送信することが行われる。（Ｂ２３）サーバ装置１０１では、通信インタフェース１１８により、携帯機器１０５から送られてくる番組選択情報が受信され、ハードディスク１１３に記録保持される。サーバ装置１０１では、この番組選択情報が、携帯機器１０５に送信した番組録画予約リストに含まれる番組を含むか否かがチェックされ、含むときは、その番組選択情報が示す番組は再生可能であると判定される。
【００９８】
（Ｂ２４）サーバ装置１０１では、上述したように再生可能と判定された番組のコンテンツ情報（番組データ）に、広告データ（広告情報）を挿入することが行われる。この場合、挿入される広告データは、携帯機器１０５から送られてきているプロファイル情報に基づいて、携帯機器１０５の使用者にとってより有用なものに決定される。また、この場合、挿入される広告データは、番組選択情報が送信された日時に応じたものとされ、タイムリーなものとされる。
【００９９】
（Ｂ２５）サーバ装置１０１では、広告データ（広告情報）が挿入された番組コンテンツ情報（番組データ）が、通信インタフェース１１８により、インターネット１０２を介して、携帯機器１０５に送信することが行われる。この場合、サーバ装置１０１では、例えば、ある番組について番組録画予約が行われた後に、一定期間を越えて、あるいは、一定回数を越えて、携帯機器１０５にその番組のコンテンツ情報を送信する際には、携帯機器１０５に課金がされる。
【０１００】
（Ｃ２３）携帯機器１０５では、サーバ装置１０１から送られてくる番組コンテンツ情報が通信インタフェース１５８で受信され、デコード部１５７でデコード処理がされて、表示出力インタフェース１５２から画像データがディスプレイ１５３に供給され、番組の再生（ストリーミング再生）が行われる。
【０１０１】
上述したように、図８に示す番組処理システム１００Ａにおいては、端末装置１０３からサーバ装置１０１に番組録画予約を行ったという事実が伝えられ、端末装置１０３では録画予約された番組は実際には録画されない。つまり、端末装置１０３では、録画予約された番組の仮想的な録画が行われる。したがって、端末装置１０３は、ＨＤＤ等の録画機能の搭載が必要なく、安価に構成可能となる。また、端末装置１０３は、録画をしないので、それにかかる電気代の節約も可能となる。また、録画したい番組が同時刻に複数チャンネルにわたって存在する場合にあっても、端末装置１０３は、複数のチューナを搭載することなく、録画予約を容易に実現でき、またディスク容量不足により録画不可能ということもなくなる。
【０１０２】
また、図８に示す番組処理システム１００Ａにおいては、サーバ装置１０１において仮想録画が行われ、番組録画予約リスト（番組リスト）が作成される。そのため、番組録画予約を行った端末装置１０３とは異なる携帯機器１０５で、番組録画予約リスト（番組リスト）を取得して、録画予約された番組の再生を行うことができる。
【０１０３】
また、図８に示す番組処理システム１００においては、端末装置１０３からサーバ装置１０１にプロファイル情報（使用者の属性情報または使用者の使用環境情報）が送信される。そのため、サーバ装置１０１では、携帯機器１０５に送信する録画予約された番組のコンテンツ情報に挿入する広告情報を、このプロファイル情報に基づいて決定することができ、端末装置１０３の使用者と特定の関係がある携帯機器１０５の使用者（端末装置１０３の使用者本人、あるいはその家族など）はより有用な広告情報の提供を受けることが可能となる。
【０１０４】
図８に示す番組処理システム１００では、端末装置１０３で番組録画予約の操作を行い、携帯機器１０５で録画予約を行った番組の再生を行う例を示した。しかし、詳細説明は省略するが、同様の処理手順によって、携帯機器１０５で番組録画予約の操作を行い、端末装置１０３で録画予約を行った番組の再生を行うことも考えられる。
【０１０５】
＜３．変形例＞
なお、上述実施の形態において、サーバ装置１０１は、端末装置１０３あるいは携帯機器１０５に送信する番組コンテンツ情報に、端末装置１０３から送られてくるプロファイル情報に対応した広告情報（広告データ）を挿入する旨、説明した。しかし、この広告情報と共に、あるいはこの広告情報の代わりに、番組コンテンツ情報に、視聴された番組に関連するコンテンツを進める案内情報を挿入することも考えられる。例えば、ドラマの挿入歌の楽曲を販売する案内が考えられる。また、例えば、関連する有料動画やＤＶＤを販売する案内が考えられる。
【０１０６】
また、本技術は、以下のような構成をとることもできる。
（１）番組録画予約情報を受け付ける番組録画予約情報受付部と、
上記受け付けられた番組録画予約情報をサーバ装置に送信する番組録画予約情報送信部とを備える
端末装置。
（２）上記受け付けられた番組録画予約情報に基づいて作成された番組録画予約リストから選択された番組の情報を含む番組選択情報を上記サーバ装置に送信する番組選択情報送信部と、
上記サーバ装置から送られてくる、上記送信された番組選択情報で示される番組のコンテンツ情報を受信する番組コンテンツ情報受信部とを、さらに備える
前記（１）に記載の端末装置。
（３）上記受け付けられた番組録画予約情報に基づいて上記番組録画予約リストを作成する番組録画予約リスト作成部と、
上記送信された番組録画予約情報に応じて、上記サーバ装置から送られてくる、該番組録画予約情報で示される番組の視聴権利を示すチケット情報を受信するチケット情報受信部とをさらに備え、
上記番組選択情報送信部は、
上記番組選択情報として、選択された番組に対応した上記チケット情報を、上記サーバ装置に送信する
前記（２）に記載の端末装置。
（４）上記サーバ装置から、上記送信された番組録画予約情報に基づいて作成された番組録画予約リストの情報を受信する番組録画予約リスト情報受信部をさらに備え、
上記番組選択情報送信部は、
上記受信された番組録画予約リスト情報で示される番組録画予約リストから選択された番組の情報を含む番組選択情報を上記サーバ装置に送信する
前記（２）に記載の端末装置。
（５）プロファイル情報を登録するプロファイル情報登録部と、
上記登録されたプロファイル情報を上記サーバ装置に送信するプロファイル情報送信部をさらに備える
前記（１）から（４）のいずれかに記載の端末装置。
（６）上記プロファイル情報には、少なくとも、使用者の属性情報または使用者の使用環境情報が含まれる
前記（５）に記載の端末装置。
（７）番組録画予約情報を受け付けるステップと、
上記受け付けられた番組録画予約情報をサーバ装置に送信するステップとを備える
端末装置における番組処理方法。
（８）コンピュータを、
番組録画予約情報を受け付ける番組録画予約情報受付手段と、
上記受け付けられた番組録画予約情報をサーバ装置に送信する番組録画予約情報送信手段と
して機能させるプログラム。
（９）サーバ装置から番組録画予約リストの情報を受信する番組録画予約リスト情報受信部と、
上記受信された番組録画予約リスト情報で示される番組録画予約リストから選択された番組の情報を含む番組選択情報を上記サーバ装置に送信する番組選択情報送信部と、
上記サーバ装置から送られてくる、上記送信された番組選択情報で示される番組のコンテンツ情報を受信する番組コンテンツ情報受信部とを備える
端末装置。
（１０）サーバ装置から番組録画予約リストの情報を受信するステップと、
上記受信された番組録画予約リスト情報で示される番組録画予約リストから選択された番組の情報を含む番組選択情報を上記サーバ装置に送信するステップと、
上記サーバ装置から送られてくる上記送信された番組選択情報で示される番組のコンテンツ情報を受信するステップとを備える
端末装置における番組処理方法。
（１１）コンピュータを、
サーバ装置から番組録画予約リストの情報を受信する番組録画予約リスト情報受信手段と、
上記受信された番組録画予約リスト情報で示される番組録画予約リストから選択された番組の情報を含む番組選択情報を上記サーバ装置に送信する番組選択情報送信手段と、
上記サーバ装置から送られてくる上記送信された番組選択情報で示される番組のコンテンツ情報を受信する番組コンテンツ情報受信手段として
機能させるプログラム。
（１２）端末装置から送られてくる番組録画予約情報を受信する番組録画予約情報受信部と、
上記番組録画予約情報の送信元と同一または異なる端末装置から送られてくる番組選択情報を受信する番組選択情報受信部と、
上記受信された番組選択情報が上記受信された番組録画予約情報に対応しているとき、該番組選択情報で示される番組のコンテンツ情報を、該番組選択情報の送信元の端末装置に送信する番組コンテンツ情報送信部とを備える
サーバ装置。
（１３）上記受信された番組録画予約情報が示す番組の視聴権利を示すチケット情報を上記番組録画予約情報の送信元の端末装置に送信するチケット情報送信部をさらに備え、
上記番組選択情報受信部は、上記番組選択情報として、上記チケット情報を受信し、
上記番組コンテンツ情報送信部は、上記受信されたチケット情報で視聴権利が示される番組のコンテンツ情報を上記番組選択情報の送信元の端末装置に送信する
前記（１２）に記載のサーバ装置。
（１４）上記受信された番組録画予約情報に基づいて番組録画予約リストを作成する番組録画予約リスト作成部と、
上記作成された番組録画予約リストの情報を上記番組録画予約情報の送信元の端末装置と同一または異なる端末装置に送信する番組録画予約リスト情報送信部をさらに備え、
上記番組コンテンツ情報送信部は、上記受信された番組選択情報が、上記送信された番組録画予約リスト情報で示される番組録画予約リストに含まれる番組の情報を含むとき、該番組のコンテンツ情報を、該番組選択情報の送信元の端末装置に送信する
前記（１２）に記載のサーバ装置。
（１５）上記番組コンテンツ情報を送信する端末装置に課金を行う課金部をさらに備え、
上記課金部は、同一の番組のコンテンツ情報を、一定回数または一定期間を越えて上記端末装置に送信する場合には、該端末装置に課金を行う
前記（１２）から（１４）のいずれかに記載のサーバ装置。
（１６）上記端末装置から送られてくるプロファイル情報を受信するプロファイル情報受信部と、
上記送信される番組コンテンツ情報に広告情報を挿入する広告情報挿入部をさらに備え、
上記広告情報挿入部は、上記受信されたプロファイル情報に基づいて、上記番組コンテンツ情報に挿入する広告情報を決定する
前記（１２）から（１６）のいずれかに記載のサーバ装置。
（１７）上記広告情報挿入部は、上記受信されたプロファイル情報の他に、さらに、上記番組選択情報の受信日時に基づいて、上記番組コンテンツ情報に挿入する広告情報を決定する
前記（１６）に記載のサーバ装置。
（１８）端末装置から送られてくる番組録画予約情報を受信するステップと、
上記番組録画予約情報の送信元と同一または異なる端末装置から送られてくる番組選択情報を受信するステップと、
上記受信された番組選択情報が上記受信された番組録画予約情報に対応しているとき、該番組選択情報で示される番組のコンテンツ情報を、該番組選択情報の送信元の端末装置に送信するステップとを備える
サーバ装置における番組処理方法。
（１９）コンピュータを、
端末装置から送られてくる番組録画予約情報を受信する番組録画予約情報受信手段と、
上記番組録画予約情報の送信元と同一または異なる端末装置から送られてくる番組選択情報を受信する番組選択情報受信手段と、
上記受信された番組選択情報が上記受信された番組録画予約情報に対応しているとき、該番組選択情報で示される番組のコンテンツ情報を、該番組選択情報の送信元の端末装置に送信する番組コンテンツ情報送信手段と
して機能させるプログラム。
（２０）サーバ装置にネットワークを介して端末装置が接続されてなり、
上記サーバ装置は
上記端末装置から番組録画予約情報を受信し、
上記番組録画予約情報の送信元と同一または異なる端末装置から番組選択情報を受信し、
上記受信された番組選択情報が、上記受信された番組録画予約情報に対応しているとき、該番組選択情報で示される番組のコンテンツ情報を、該番組選択情報の送信元の端末装置に送信する
番組処理システム。
【符号の説明】
【０１０７】
１００，１００Ａ・・・番組処理システム
１０１・・・サーバ装置
１０２・・・インターネット
１０３・・・端末装置
１０４・・・ディスプレイ
１０５・・・携帯機器
１１１・・・制御部
１１２・・・情報記録インタフェース
１１３・・・ハードディスク
１１４・・・表示出力インタフェース
１１５・・・ディスプレイ
１１６・・・操作部インタフェース
１１７・・・操作部
１１８・・・通信インタフェース
１３１・・・制御部
１３２・・・情報記録部
１３３・・・表示出力インタフェース
１３４・・・操作部インタフェース
１３５・・・操作部
１３６・・・チューナ部
１３７・・・デコード部
１３８・・・通信インタフェース
１３９・・・内部バス
１５０・・・制御部
１５１・・・情報記録部
１５２・・・表示出力インタフェース
１５３・・・ディスプレイ
１５４・・・操作部インタフェース
１５５・・・操作部
１５６・・・チューナ部
１５７・・・デコード部
１５８・・・通信インタフェース
１５９・・・内部バス
【図１】
2013207434.tif 000003
【図２】
2013207434.tif 000004
【図３】
2013207434.tif 000005
【図４】
2013207434.tif 000006
【図５】
2013207434.tif 000007
【図６】
2013207434.tif 000008
【図７】
2013207434.tif 000009
【図８】
2013207434.tif 000010
【図９】
2013207434.tif 000011
【図１０】
2013207434.tif 000012
【図１１】
2013207434.tif 000013